(57)【要約】【課題】外部機器への画像データの送信と、カメラの動作状態の報知を行うデジタルカメラの小型化、および低コスト化を計る。【解決手段】撮影モードが設定されると、移動筒３７が収納位置から撮影位置に移動し、波長変換フィルタ４６が退避位置から変換位置に移動する。赤外光ＬＥＤ２１は、撮影モードに応じた発光パターンで赤外光を出力する。赤外光は波長変換フィルタ４６によって可視光に変えられ、導光部材５３を介して開口２０から外部に照射される。データ通信モードが設定されると、移動筒３７が撮影位置から収納位置に移動し、波長変換フィルタ４６が変換位置から退避位置に移動する。送信対象の画像データが光データに変換され、光データに基づいた発光パターンで赤外光ＬＥＤ２１は赤外光を出力する。【選択図】図５
2008129429.tif 000002
【特許請求の範囲】
【請求項１】
可視波長領域の光とは異なる特定波長領域の光を出力するＬＥＤと、
固体撮像素子によって撮像された画像データを光データに変換し、この光データに基づいた発光パターンで前記ＬＥＤの出力を制御する出力制御手段とを備え、
前記特定波長領域の光によって外部機器に前記画像データを送信するデジタルカメラにおいて、
前記特定波長領域の光を照射することで、前記特定波長領域の光を前記可視波長領域の光に変えるフィルタを備え、
前記出力制御手段は、カメラの動作状態に応じて前記ＬＥＤの出力を制御し、前記フィルタによって変えられた前記可視波長領域の光によってカメラの動作状態を報知することを特徴とするデジタルカメラ。
【請求項２】
撮影レンズを覆う閉じ位置と、前記撮影レンズを露呈させる開き位置との間で移動自在なレンズカバーを備えており、
前記フィルタは、前記レンズカバーが開き位置のときに前記ＬＥＤの前面を覆う変換位置に配置され、前記レンズカバーが閉じ位置のときに前記ＬＥＤの前面から退避した退避位置に配置されることを特徴とする請求項１記載のデジタルカメラ。
【請求項３】
撮影レンズを保持し、カメラ本体に収納された収納位置および前記収納位置から被写体側に繰り出した撮影位置の間で移動自在なレンズ鏡筒を備え、
前記フィルタは、前記レンズ鏡筒が前記収納位置のときに前記ＬＥＤの前面から退避した退避位置に配置され、前記レンズ鏡筒が前記撮影位置のときに前記ＬＥＤの前面を覆う変換位置に配置されることを特徴とする請求項１記載のデジタルカメラ。
【請求項４】
前記カメラ本体の前面には前記ＬＥＤから出力された前記特定波長領域の光、および前記フィルタによって変えられた前記可視波長領域の光を外部に導光する開口が設けられており、
前記開口と前記ＬＥＤとの間に前記特定波長領域の光、または前記可視波長領域の光を前記開口に導く導光部材が設けられていることを特徴とする請求項１ないし３いずれか１項記載のデジタルカメラ。
【請求項５】
異なる撮影条件に応じた複数種類の撮影モードを備えており、
前記出力制御部は、前記各撮影モードに応じた発光パターンで前記ＬＥＤの出力を制御することを特徴とする請求項１ないし４いずれか１項記載のデジタルカメラ。
【請求項６】
前記特定波長領域の光は、赤外光または紫外光であることを特徴とする請求項１ないし５いずれか１項記載のデジタルカメラ。
【発明の詳細な説明】
【技術分野】
【０００１】
画像データを外部機器に無線通信可能なデジタルカメラに関するものである。
【背景技術】
【０００２】
ＣＣＤなどの固体撮像装置で撮影した被写体像をデジタルの画像データに変換し、内蔵メモリや記録媒体であるメモリカード等に記憶するデジタルカメラが普及している。このようなデジタルカメラの前面には、被写体である人物にデジタルカメラが撮影可能な状態、もしくは撮影中であることを点灯または点滅して報知するタリーランプが設けられている。さらに、高機能化しているデジタルカメラには、例えばＩｒＤＡ（Infrared Data Association）による赤外線通信手段が設けられている。これにより、デジタルカメラと、赤外線通信手段が設けられている他のデジタルカメラ、携帯電話機、ＰＤＡ、プリンタ、パソコン等の外部機器との間で画像データの送受信を相互に行うことができる。
【０００３】
また、特許文献１に記載のカメラには、補助光用の白色ＬＥＤと、リモコンからの赤外光を受光する受光素子が設けられており、補助光用の投光レンズおよび赤外光を受光する受光レンズが１つのレンズで兼用されている。
【特許文献１】特開２００６−７１９９９号公報
【発明の開示】
【発明が解決しようとする課題】
【０００４】
ところで、近年のデジタルカメラはコンパクト化が望まれている。しかしながら、上記のように、タリーランプおよび赤外線通信手段を備えたデジタルカメラでは、タリーランプ用の発光窓と赤外光用の発光窓が別々に設けられており、カメラ本体のコンパクト化に支障をきたしていた。また、特許文献１に記載のカメラでは、リモコンからの赤外光を受光することはできるが、赤外光により画像データの送受信を行うことはできない。また、白色ＬＥＤは撮影の際に補助光として用いられるが、カメラの動作状態を報知することはできない。
【０００５】
本発明は、上記課題を解決するためになされたものであり、小型化およびコストの削減を行いながら、カメラの動作状態の報知および画像データの無線通信を行うことができるデジタルカメラを提供することを目的とする。
【課題を解決するための手段】
【０００６】
本発明は、可視波長領域の光とは異なる特定波長領域の光を出力するＬＥＤと、固体撮像素子によって撮像された画像データを光データに変換し、前記光データに基づいた発光パターンで前記ＬＥＤの出力を制御する出力制御手段とを備え、前記特定波長領域の光によって外部機器に前記画像データを送信するデジタルカメラにおいて、前記特定波長領域の光を照射することで、前記特定波長領域の光を前記可視波長領域の光に変えるフィルタを備え、前記出力制御手段はカメラの動作状態に応じて前記ＬＥＤの出力を制御し、前記フィルタによって変えられた前記可視波長領域の光によってカメラの動作状態を報知することを特徴とするものである。
【０００７】
また、撮影レンズを覆う閉じ位置と、前記撮影レンズを露呈させる開き位置との間で移動自在なレンズカバーを備えており、前記フィルタは前記レンズカバーが開き位置のときに前記ＬＥＤの前面を覆う変換位置に配置され、前記レンズカバーが閉じ位置のときに前記ＬＥＤの前面から退避した退避位置に配置されることが好ましい。
【０００８】
また、撮影レンズを保持し、カメラ本体に収納された収納位置および前記収納位置から被写体側に繰り出した撮影位置の間で移動自在なレンズ鏡筒を備え、前記フィルタは前記レンズ鏡筒が収納位置のときに前記ＬＥＤの前面から退避した退避位置に配置され、前記レンズ鏡筒が撮影位置のときに前記ＬＥＤの前面を覆う変換位置に配置されることが好ましい。
【０００９】
また、前記カメラ本体の前面には前記ＬＥＤから出力された前記特定波長領域の光、および前記フィルタによって変えられた前記可視波長領域の光を外部に導光する開口が設けられており、前記開口と前記ＬＥＤとの間に前記特定波長領域の光、または前記可視波長領域の光を前記開口に導く導光部材を設けることが好ましい。
【００１０】
また、異なる撮影条件に応じた複数種類の撮影モードを備えており、前記出力制御部は前記各撮影モードに応じた発光パターンで前記ＬＥＤの出力を制御することが好ましい。また、前記特定波長領域の光は、赤外光または紫外光であることが好ましい。
【発明の効果】
【００１１】
特定波長領域の光を可視波長領域の光に変えるフィルタを設けることで、外部機器に画像データを送信するためのＬＥＤと、カメラの動作状態を報知するためのＬＥＤとを１つのＬＥＤで兼用することができる。これにより、部品点数が少なくなり、コストを削減することができるとともに、デジタルカメラの小型化が可能になる。
【００１２】
また、レンズ鏡筒の収納位置と撮影位置との移動に連動してフィルタを変換位置と退避位置とに移動させたので、画像データを送信する場合やカメラの動作状態を報知する場合、ユーザーがフィルタを移動させる必要がない。
【００１３】
また、開口とＬＥＤとの間に導光部材を設けたので、ＬＥＤから出力された特定波長領域の光、もしくはフィルタによって変えられた可視波長領域の光が確実に開口から外部に照射される。
【００１４】
また、撮影モードに応じた発光パターンを備えているので、被写体である人物が撮影モードおよび動作状態を容易に確認することができる。さらに、動作状態を確認することで、被写体である人物は撮影が行われる前に準備することができるので、撮影で失敗することが少なくなる。
【発明を実施するための最良の形態】
【００１５】
図１に示すように、デジタルカメラ２のカメラ本体５の前面には、撮影レンズ１１が組み込まれたレンズ鏡筒１２、光学ファインダを構成するファインダ対物窓１３、ストロボ光を発光するストロボ発光部１４、赤外線ポート１５、スライド式のレンズカバー１７が設けられている。レンズカバー１７は、図１に示すように撮影レンズ１１を露呈させる開き位置と、撮影レンズ１１を覆う閉じ位置の間でスライド自在となっている。さらに、レンズカバー１７は開き位置でカメラ本体５の一部とともにグリップとなる。
【００１６】
レンズ鏡筒１２は、カメラ本体５内に収納される収納位置と、この収納位置から光軸方向に繰り出された撮影位置の間で移動する。レンズ鏡筒１２は撮影モードに設定されている場合に撮影位置（図１参照）となり、デジタルカメラ２の電源がオフの場合、または撮影モード以外のモードが設定されている場合は収納位置となる。
【００１７】
赤外線ポート１５はＩｒＤＡの赤外線通信手段であり、ファインダ対物窓１３の下部でレンズ鏡筒１２の近傍に設けられている。赤外線ポート１５は、カメラ本体５の前面に形成された開口２０の背後に、図３に示すように砲弾型の赤外光ＬＥＤ２１と受光素子２２が配線基板２３に実装されて設けられており、開口２０には投光性を有するカバー（図示せず）が嵌め込まれている。また、詳しくは後述するが、赤外光ＬＥＤ２１から出力される赤外光（特定波長領域の光）は、開口２０を介して携帯電話やプリンタなどの外部機器の赤外線ポートに向けて照射される。また、外部機器に設けられた赤外線ポートから照射される赤外光は、開口２０を介して受光素子２２で受光される。これにより、デジタルカメラ２と外部機器との間で画像データの送受信が行われる。
【００１８】
カメラ本体５の上面にはシャッタボタン２５が設けられており、２段階押圧式となっている。デジタルカメラ２は、シャッタボタン２５が半押しされると、焦点調整や露出調整などの撮影準備処理が行われ、さらにシャッタボタン２５が全押しされると、撮影処理が行われる。
【００１９】
図２に示すように、カメラ本体５の側面には、撮影された画像データを記録するメモリカード２６が挿入されるカードスロット２７が設けられている。また、背面には、光学ファインダを構成するファインダ接眼窓２８、液晶パネル（ＬＣＤ）２９、操作部３０、が設けられている。
【００２０】
操作部３０は、モード切替ボタン３１、決定ボタン３２、キャンセルボタン３３、ズームボタン３４からなる。モード切替ボタン２５は、デジタルカメラ２のモード切替を行う。デジタルカメラ２には、撮影モード、再生モード、データ通信モードなどが設けられており、撮影モードは撮影条件に応じて通常撮影モード、夜景撮影モード、セルフタイマー撮影モードなどが設定可能となっている。これらのモード選択や後述する送信対象画像の選択やキャンセルは、決定ボタン３２、キャンセルボタン３３の操作によって行われる。また、ＬＣＤ２９には撮影した画像や撮影時のいわゆるスルー画像、および各種メニュー画像が表示される。
【００２１】
図３に示すように、レンズ鏡筒１２は、カメラ本体５内に固定される固定筒３５と、固定筒３５に挿入され、固定筒３５内で光軸Ｌを中心に回転を行う中間筒３６と、撮影レンズ１１を保持し、かつ中間筒３６に挿入され、中間筒３６の回転に伴って収納位置と撮影位置の間で移動する移動筒３７とから構成されている。
【００２２】
移動筒３７は、外周面の周方向に等間隔で３つの駆動ピン４０が設けられている。移動筒３７を中間筒３６に挿入すると、駆動ピン４０が中間筒３６の内周面に形成されたカム溝４１に嵌め込まれる。
【００２３】
中間筒３６の外周面には、周面に沿ってギア部４４が形成されている。さらに、外周面には保持枠４５に嵌め込まれた波長変換フィルタ４６が設けられている。また、中間筒３６に設けられたカム溝４１は、中間筒３６の背面側から前面側にかけて略円弧形状をしている。これにより、駆動ピン４０がカム溝４１の背面側端部にあるときには移動筒３７は収納位置（図４参照）となり、カム溝４１の前面側端部にあるときには移動筒３７は撮影位置（図５参照）となる。
【００２４】
波長変換フィルタ４６は、室内の照明や太陽光からのエネルギーを蓄える赤外蛍光物質が用いられており、赤外光ＬＥＤ２１から出力された赤外光が赤外蛍光物質を刺激することによって蓄積されたエネルギーが可視光の形で放出される。
【００２５】
固定筒３５は筒部３５ａとベース部３５ｂから構成されている。筒部３５ａの外周面には、外周面側から内周面側にかけて貫通した開口部（図示せず）が形成されており、この筒部３５ａ内で中間筒３６を回転させるための駆動ギア４８が設けられている。駆動ギア４８は、その一部を筒部３５ａの内周面側に露呈しており、筒部３５ａに挿入された中間筒３６のギア部４４と嵌合する。また、駆動ギア４８には駆動モータ５５（図６参照）が接続されており、駆動モータ５５の駆動力は駆動ギア４８を介して中間筒３６に伝達される。
【００２６】
さらに、筒部３５ａの外周面には、略Ｌ字形状の切欠き部５０が形成されている。中間筒３６を筒部３５ａに挿入する際には、保持枠４５を切欠き部５０に合わせて挿入する。これにより、中間筒３６が筒部３５ａに挿入されると、波長変換フィルタ４６は図４に示すように退避位置にセットされる。
【００２７】
固定筒３５、中間筒３６、移動筒３７が組み付けられ、図４に示すように移動筒３７が収納位置にあり、波長変更フィルタ４６が退避位置にある場合、駆動モータ５５によって駆動ギア４８が反時計方向に回転されると、中間筒３６は筒部３５ａ内で光軸Ｌを中心に時計回りに回転する。これにより、駆動ピン４０はカム溝４１に沿って背面側端部から前面側端部に移動し、移動筒３７は図５に示すように収納位置から撮影位置に繰り出される。そして、中間筒３６の回転に伴って、波長変換フィルタ４６は切欠き部５０に沿って周方向に移動し、退避位置から変換位置へと移動する。よって、赤外光ＬＥＤ２１から出力される赤外光は波長変換フィルタ４６によって可視光に変えられ、開口２０から外部に照射される。
【００２８】
また、図５に示すように、移動筒３７が撮影位置にあり、波長変換フィルタ４６が変換位置の場合、駆動ギア４８が図中時計回り方向に回転されると、中間筒３６は光軸Ｌを中心に反時計回り方向に回転する。これにより、駆動ピン４０がカム溝４１に沿って前面側端部から背面側端部に移動し、移動筒３７は図４に示すように撮影位置から収納位置へ移動する。そして、中間筒３６の回転に伴って、波長変換フィルタ４６は変換位置から退避位置に移動する。よって、赤外光ＬＥＤ２１から出力される赤外光は開口２０から外部に照射される。
【００２９】
赤外線ポート１５は、固定筒３５の右上前方、かつカメラ本体５に形成された開口２０の背後に設けられている。砲弾型の赤外光ＬＥＤ２１は、約７００ｎｍ〜２５００ｎｍの波長領域（特定波長領域）の赤外光を出力する。また、カメラ本体５には開口２０と変換位置にセットされた波長変換フィルタ２２との間に導光部材５３が設けられている。導光部材５３は、赤外光ＬＥＤ２１から出力された赤外光または波長変換フィルタ２２によって変えられた可視光を開口２０へと確実に導くためのものである。
【００３０】
図６において、デジタルカメラ２は、ＣＰＵ５４によって統括的に制御される。ＣＰＵ５４は、各種操作ボタンから入力される操作信号に基づいて、各部の動作制御を行う。
【００３１】
レンズ鏡筒１２の固定筒３５には、駆動モータ５５が接続されている。駆動モータ５５はステッピンモータからなり、ＣＰＵ５４に接続されたモータドライバ５６から送信される駆動パルスにより回転方向および回転量の制御が行われる。これにより、駆動モータ５５は、レンズカバー１７が開き位置で、かつ撮影モードが設定された場合は移動筒３７を撮影位置にする。また、再生モードまたはデータ通信モードが設定された場合は、移動筒３７を収納位置にする。
【００３２】
移動筒３７に保持された撮影レンズ１１には、レンズモータ６０が接続されている。また、絞り６１にはアイリスモータ６２が接続されている。これらのモータ６０、６２はステッピングモータからなり、ＣＰＵ５４に接続されたモータドライバ６５、６６から送信される駆動パルスにより動作制御され、レリーズボタン２５の半押しに伴う撮影準備処理を行う。
【００３３】
レンズモータ６０は、ズーム操作ボタン３４の操作に連動して、撮影レンズ１１のズームレンズをワイド側、あるいはテレ側に移動させる。また、被写体距離やズームレンズの変倍に応じて撮影レンズ１１のフォーカスレンズを移動させ、撮影条件が最適となるように焦点調整を行う。アイリスモータ６２は、絞りを動作させて露出調整を行う。
【００３４】
撮影レンズ１１の背後には、撮影レンズ１１を透過した被写体光が撮像されるＣＣＤ６７が配置されている。固体撮像素子であるＣＣＤ６７には、ＣＰＵ５４によって制御されるタイミングジェネレータ６８（ＴＧ）が接続され、このＴＧ６８から入力されるタイミング信号により、電子シャッタのシャッタ速度が決定される。
【００３５】
ＣＣＤ６７から出力された撮像信号は、相関二重サンプリング回路６９（ＣＤＳ）に入力され、ＣＣＤ６７の各セルの蓄積電荷量に正確に対応したＲ、Ｇ、Ｂの画像データとして出力される。ＣＤＳ６９から出力された画像データは、増幅器７０（ＡＭＰ）で増幅され、Ａ／Ｄ変換器７１（Ａ／Ｄ）でデジタルの画像データに変換される。
【００３６】
画像入力コントローラ７３は、バス７２を介してＣＰＵ５４に接続され、ＣＰＵ５４の制御命令に応じてＣＣＤ６７、ＣＤＳ６９、ＡＭＰ７０、およびＡ／Ｄ７１を制御する。Ａ／Ｄ７１から出力された画像データは、ＳＤＲＡＭ７５に一旦格納される。
【００３７】
画像信号処理回路７６は、ＳＤＲＡＭ７５から画像データを読み出して、階調変換、ホワイトバランス補正、γ補正処理などの各種画像処理を施す。また、ＹＣ変換処理回路７７は、各種画像処理が施された画像データを輝度信号Ｙと色差信号Ｃｒ、Ｃｂとに変換する。
【００３８】
ＣＰＵ５４には、レリーズボタン２５が接続されている。レリーズボタン２５がレリーズ操作されるとＣＰＵ５４にレリーズ信号が入力され、ＣＰＵ５４はレリーズ信号に基づいて画像入力コントローラ７３を駆動させ、ＣＣＤ６７を制御して画像データを取得させる。
【００３９】
レリーズ操作が行われると、ＣＣＤ６７によって、スルー表示用のスルー画像よりも画素数の大きな本画像データ（撮影画像データ）が取得される。この本画像データに対しては、上記画像処理がなされるとともに、圧縮伸長処理回路７８によって所定の圧縮形式（例えば、ＪＰＥＧ形式）で圧縮処理される。圧縮処理が施された本画像データは、ＣＰＵ５４の指示により、メディアコントローラ７９を介してメモリカード２６に記録される。
【００４０】
また、再生モードでは、メモリカード２６に記録された本画像データが一度ＳＤＲＡＭ７５に読み出され、圧縮伸張処理回路７８によって伸長処理が施された後、ＬＣＤドライバ８０に出力され、ＬＣＤ２９に再生表示される。
【００４１】
ＣＰＵ５４には、ＥＥＰＲＯＭ８２が接続されている。ＥＥＰＲＯＭに８２は、各種制御用のプログラムや設定情報などが記録されている。ＣＰＵ５４は、これらの情報をＥＥＰＲＯＭか８２から作業用メモリであるＳＤＲＡＭ７５に読み出して、各種処理を実行する。
【００４２】
バス７２には、露出量、すなわち電子シャッタのシャッタ速度、および絞りの絞り値が撮影に適切か否かを検出するとともに、ホワイトバランスが撮影に適切か否かを検出するＡＥ／ＡＷＢ検出回路８３と、撮影レンズ１１の焦点調整が撮影に適切か否かを検出するＡＦ検出回路８４と、ストロボ装置８５の動作を制御するストロボ制御回路８６とが接続されている。
【００４３】
ＡＥ／ＡＷＢ、ＡＦ検出回路８３、８４は、レリーズボタン２５の半押し時に、バス７２を介してＣＰＵ５４に検出結果を逐次入力する。ＣＰＵ５４は、これらの検出回路から入力される検出結果に基づいて、撮影レンズ１１、絞り６１、およびＣＣＤ６７の動作を制御する。
【００４４】
開閉センサ８９は、ＣＰＵ５４に接続されており、レンズカバー１７を閉じ位置から開き位置にスライドさせたことを検出し、この検出信号をＣＰＵ５４に入力する。ＣＰＵ５４は、検出信号に基づいてレンズカバー１７が開き位置にあるか否かを判定する。レンズカバーが開き位置にあると判定された場合、ＣＰＵ５４は撮影モードの設定を許容し、撮影モードが設定されると、駆動モータ５５を制御して移動筒３７を収納位置から撮影位置に移動させる。
【００４５】
ＩｒＤＡコントローラ９０（出力制御手段）は、ＣＰＵ５４に接続されており、ＩｒＤＡに基づく赤外線通信方式で赤外光ＬＥＤ２１からの赤外光の出力を制御するとともに、受光素子２２で受光される赤外光の光データを所定の画像データに変換してＣＰＵ５４に出力する。
【００４６】
モード切替ボタン３１によってデータ通信モードを選択し、決定ボタン３２およびキャンセルボタン３３の操作によりメモリカード２６に記憶されている画像データから送信対象画像を選択する。選択された画像データはメモリカード２６からＩｒＤＡコントローラ９０に読み出される。ＩｒＤＡコントローラ９０は、画像データを光データに変換し、この光データに基づいた発光パターンで赤外光ＬＥＤ２１から赤外光を出力させる。
【００４７】
また、ＥＥＰＲＯＭ８２には、各種撮影モード（通常撮影モード、夜景撮影モード、セルフタイマー撮影モード）に応じてカメラの動作状態を報知するための各種発光パターンが格納されている。上記撮影モードのいずれかが設定されると、レンズ鏡筒１２は撮影レンズ１１を繰り出した撮影位置にセットされ、これに連動して波長変換フィルタ４６は赤外光ＬＥＤ２１を覆う変換位置にセットされる。このとき、ＣＰＵ５４は設定された撮影モードに対応する発光パターンをＩｒＤＡコントローラ９０に出力する。そして、ＩｒＤＡコントローラ９０は発光パターンに基づいて赤外光ＬＥＤ２１から赤外光を出力させる。
出力された赤外光は、変換位置にセットされている波長変換フィルタ４６によって可視光に変えられて開口２０から外部に照射される。よって、被写体である人物にデジタルカメラ２が撮影可能状態または撮影中であることを報知できる。
【００４８】
受光素子２２は、開口２０を介して入射した外部機器からの赤外光を受光面２２ａで受光する。受光された赤外光は、ＩｒＤＡコントローラ９０に入力される。ＩｒＤＡコントローラ９０は、赤外光からなる光データを所定の指令データや画像データに変換してＣＰＵ５４に入力する。ＣＰＵ５４は、入力された指令データに応じて、例えば画像データをメモリカード２６に記録する。
【００４９】
次に上記構成のデジタルカメラの作用を説明する。図７において、デジタルカメラ２の携帯時や不使用時には、レンズカバー１７が閉じ位置となっており、撮影レンズ１１を保護している。デジタルカメラ２で撮影を行う場合には、レンズカバー１７を開き位置にスライドさせ、モード切替ボタン３１で所望の撮影モードを選択する。これにより、レンズ鏡筒１２は収納位置から撮影位置にセットされ、撮影レンズ１１が繰り出して撮影が可能な状態となる。このように、撮影モードが設定され、レリーズボタン２５の押圧操作の待ち状態になると、赤外光ＬＥＤ２１は設定された撮影モードに応じた発光パターンで赤外光を出力する。この時、波長変換フィルタ４６が変換位置にあるので、カメラ本体５の前面に設けられた赤外線ポート１５の一部から可視光が照射される。被写体である人物は、この可視光を確認することによってデジタルカメラ２が撮影可能な状態、もしくは撮影中であることを確認することができる。
【００５０】
また、撮影モードに応じた発光パターンとしては、例えば通常撮影モードの時は赤外光ＬＥＤ２１を継続して点灯させ、夜景撮影モードでは赤外光ＬＥＤ２１を一定間隔で点滅させ、セルフタイマー撮影モードでは撮影時間が近づくにしたがって間隔が短くなるように点滅させる。このように、撮影モードに応じて発光パターンが異なるので、被写体である人物は発光パターンを確認することで、現在設定されている撮影モードを知ることもできる。なお、撮影モードに応じた発光パターンはこれに限るものではなく、適宜に設定することが好ましい。また、撮影モードに応じた発光パターンをデジタルカメラ２のユーザーが自由に設定できるようにしてもよい。
【００５１】
また、デジタルカメラ２から外部機器に画像データを送信する場合は、デジタルカメラ２に設けられた赤外線ポート１５と外部機器に設けられた赤外線ポートとを約３０ｃｍ〜１ｍの距離で対面させる。そして、モード切替ボタン３１によって撮影モードからデータ通信モードに設定する。データ通信モードに設定されると、撮影位置の移動筒３７が収納位置に移動し、撮影レンズ１１が収納位置にセットされる。また、この移動筒３７の移動に連動して波長変換フィルタ４６は変換位置から退避位置へと移動する。操作部３０の操作により、メモリカード２６に記録されている画像データから送信対象画像が選択されると、選択された画像データが光データに変換され、この光データに基づいた発光パターンで赤外光ＬＥＤ２１から赤外光が出力される。
【００５２】
出力された赤外光は、カメラ本体５に形成された開口２０を介して外部機器の赤外線ポートに照射される。これにより、照射された赤外光が外部機器の受光素子で受光されることで、デジタルカメラ２で撮影した画像データが外部機器に送信される。
【００５３】
また、外部機器からの画像データを受信する場合には、前述と同様にデジタルカメラ２の赤外線ポート１５と外部機器の赤外線ポートとを３０ｃｍ〜１ｍの距離で対面させる。そして、開口２０を介して入射された外部機器から照射された赤外光を受光部２２で受光する。受光した赤外光はＩｒＤＡコントローラ９０で所定の画像データに変換され、この画像データはメモリカード２６に記録される。これにより、容易にデジタルカメラ２と外部機器との間で画像データの送受信ができる。
【００５４】
なお、本実施形態の波長変換フィルタ４６は、移動筒３７の収納位置と撮影位置との移動に連動させて変換位置と退避位置とに移動させたが、これに代えて、波長変換フィルタ４６の変換位置と退避位置への移動をレンズカバー１７に連動させてもよい。なお、上記実施形態と同じ構成部材には同じ符号を付し、その説明は省略する。
【００５５】
図８に示すように赤外線ポート１５は、撮影時にカメラ本体５が把持された際に指と干渉しないように、カメラ本体５の右側下部に設けられている。また、カメラ本体５内には、デジタルカメラ２の底面と平行で、かつレンズカバー１７に連結されたラック９３が設けられている。ラック９３は、その上面に歯が形成されている。
【００５６】
また、波長変換フィルタ４６を保持している保持枠９４の一端には、外周面に歯が形成された円板形状のピニオン９５が設けられている。ピニオン９５は、カメラ本体５に設けられた回転軸９６を中心に回転自在となっており、ラック９３とかみ合っている。これにより、レンズカバー１７が閉じ位置の時には、図８（Ａ）に示すように、波長変換フィルタ４６は赤外光ＬＥＤ２１の前面から退避した退避位置となる。また、レンズカバー１７が閉じ位置から開き位置にスライドされると、図８（Ｂ）に示すようにピニオン９５が回転軸９６を中心に時計回りに回転し、波長変換フィルタ４６を退避位置から変換位置に移動させる。このとき、保持枠９４がストッパ９８に当接することで、波長変換フィルタ４６は変換位置にセットされる。
【００５７】
従って、デジタルカメラ２から画像データを外部機器に送信する場合には、レンズカバー１７を閉じ位置にし、データ通信モードに設定する。そして、デジタルカメラ２の赤外線ポート１５と外部機器の赤外線ポートを対面させた状態で、送信対象画像を選択する。これにより、選択された画像データが光データに変換され、赤外光ＬＥＤ２１は光データに基づいた発光パターンで赤外光を出力する。よって、出力された赤外光は、開口２０を介して外部機器の赤外線ポートに照射され、デジタルカメラ２から外部機器に画像データが送信される。
【００５８】
また、デジタルカメラ２で撮影を行う場合は、レンズカバー１７を閉じ位置から開き位置にスライドさせて図８（Ｂ）の状態にする。これにより、波長変換フィルタ４６は回転軸９６を中心に時計回りに回転し、退避位置から変換位置に移動する。そして、撮影モードが設定されると、赤外光ＬＥＤ２１は設定された撮影モードに応じた発光パターンで赤外光を出力する。出力された赤外光は、波長変換フィルタ４６によって可視光に変えられ、開口２０を介して外部に照射される。これにより、被写体である人物は設定された撮影モードおよび撮影可能状態、又は撮影中であることを確認できる。
【００５９】
なお、上記各実施形態では、撮影レンズ１１の繰り出しやレンズカバー１７の開閉操作に連動させて波長変換フィルタ４６を退避位置と変換位置との間で切り替えるようにしたが、この連動手段は、ギヤトレインの他にリンク機構やその他の連動機構を用いてもよい。
【００６０】
また、本実施形態では、波長変換フィルタ４６を退避位置と変換位置に移動させたが、これに代えて、赤外光ＬＥＤ２１の一部を覆うように波長変換フィルタ４６を固定配置してもよい。例えば、図９（Ａ）に示すように、赤外光ＬＥＤ２１の前面に固定した保持枠１００の上半分だけに波長変換フィルタ１０１を設ける。これにより、赤外光ＬＥＤ２１から赤外光を出力すると、保持枠１００の上半分に照射される赤外光は波長変換フィルタ１０１によって可視光に変換される。よって、赤外光と可視光の両方が外部に照射される。また、図９（Ｂ）に示すように、中央に開口１０２が形成された波長変換フィルタ１０３を保持枠１００に設けてもよい。この場合、開口１０２の直径は赤外光ＬＥＤ２１の直径より小さくなっている。これにより、赤外光ＬＥＤ２１から赤外光が出力されると、開口１０２の周囲の波長変換フィルタ１０３に照射された赤外光が可視光に変えられる。よって、開口１０２を通過した赤外光と波長変換フィルタ１０３によって変えられた可視光が外部に照射される。従って、データ通信モードの場合は、赤外光によって外部機器に画像データを送信でき、撮影モードの場合は可視光によって撮影可能状態または撮影中であることを報知することができる。
【００６１】
なお、本実施形態では、赤外光ＬＥＤ２１からの赤外光を開口２０から外部に確実に照射させるために、赤外光ＬＥＤ２１と開口２０の間に導光部材５３を設けたが、本実施形態のように砲弾型の赤外光ＬＥＤ２１を用いた場合は、出力される赤外光が前方に集中する特性を有するので必ずしも導光部材５３を用いなくてもよい。
【００６２】
また、本実施形態では、特定波長領域の光として赤外光を用いているが、これに代えて、特定波長領域の光として紫外光を用いてもよい。この場合は、１０ｎｍ〜４００ｎｍの波長領域の紫外光を出力するＬＥＤと、紫外光を可視光に変える波長変換フィルタを用いればよい。
【図面の簡単な説明】
【００６３】
【図１】本発明を用いたデジタルカメラの正面の外観を示す斜視図である。
【図２】本発明を用いたデジタルカメラの背面の外観を示す斜視図である。
【図３】レンズ鏡筒の構成を示す分解斜視図である。
【図４】移動筒の収納位置、および波長変換フィルタの退避位置を示すレンズ鏡筒の斜視図である。
【図５】移動筒の撮影位置、および波長変換フィルタの変換位置を示すレンズ鏡筒の斜視図である。
【図６】デジタルカメラの電気的構成を示すブロック図である。
【図７】画像データの送信および動作状態の報知を行う処理を示すフローチャートである。
【図８】（Ａ）（Ｂ）レンズカバーのスライドに連動して変換位置と退避位置に移動する波長変換フィルタを示す正面図である。
【図９】（Ａ）（Ｂ）赤外光ＬＥＤの一部を覆うように固定配置した波長変換フィルタを示す正面図である。
【符号の説明】
【００６４】
２  デジタルカメラ
５  カメラ本体
１２  レンズ鏡筒
１７  レンズカバー
２０  開口
２１  赤外光ＬＥＤ
４６  波長変換フィルタ
５３  導光部材
５４  ＣＰＵ
５５  駆動モータ
６７  ＣＣＤ
９０  ＩｒＤＡＤコントローラ
【図１】
2008129429.tif 000003
【図２】
2008129429.tif 000004
【図３】
2008129429.tif 000005
【図４】
2008129429.tif 000006
【図５】
2008129429.tif 000007
【図６】
2008129429.tif 000008
【図７】
2008129429.tif 000009
【図８】
2008129429.tif 000010
【図９】
2008129429.tif 000011